(57)【要約】【課題】ドアやパネル等の大型の重量資材に使用しても十分な緩衝能力を持つ段ボール製の折畳式緩衝部材（エッジガード及びコーナーガード）を提供する。【解決手段】エッジガードは、段ボールを折り曲げ、組み立てることにより形成された緩衝部材であって、断面が略コの字形の本体と、上記本体の閉塞側に設けられる断面四角形の柱状の緩衝部３２とから成る。本体の開放側の把持部３１が被保護材のエッジを把持し、緩衝部３２がエッジを保護する。緩衝部３２には、長手方向に交互にその対角線上に設けられた梁部１１が設けられている。これにより、外部から物がぶつかっても（或いは、被保護材が何かにぶつかっても）緩衝部３２がその衝撃を十分に緩和し、エッジ（及び外部の物）を保護する。【選択図】　図３
2004106872.tif 000002
【特許請求の範囲】
【請求項１】
段ボールを折り曲げ、組み立てることにより形成された緩衝部材であって、
開放側において平板状の被保護材のエッジを把持する、断面が略コの字形の柱状の本体と、
上記本体の閉塞側に設けられる断面四角形の柱状の緩衝部と、
上記緩衝部の断面四角形において、長手方向に交互にその対角線上に設けられた梁部と、
を有することを特徴とするエッジ保護用折畳式段ボール製緩衝部材。
【請求項２】
前記本体が長手方向に連続して交互に存在する第１部分と第２部分から成り、
第１部分の断面において、上記本体の開放側の一方の側壁において段ボールが内側に折り返され、折り返しの端部が側壁の途中で終了しており、他方の側壁において段ボールが内側に折り返され、前記終了端と略同じ高さにおいて側壁から垂直に立ち上がって上記緩衝部の開放端側の辺を形成し、前記終了端で更に折り曲げられて上記梁部を形成するようにされており、
第２部分の断面において前記とは逆様に折り曲げられて対向する梁部が形成されるようになっていることを特徴とする請求項１に記載のエッジ保護用折畳式段ボール製緩衝部材。
【請求項３】
前記第１部分と第２部分の境界において、前記緩衝部の開放端側の辺同士が接するようにされていることを特徴とする請求項１又は２に記載のエッジ保護用折畳式段ボール製緩衝部材。
【請求項４】
前記エッジ保護用折畳式段ボール製緩衝部材の２ユニットが屈曲部を介して接続されていることを特徴とする請求項１〜３のいずれかに記載のコーナー保護用折畳式段ボール製緩衝部材。
【発明の詳細な説明】
【０００１】
【発明の属する技術分野】
本発明は、ドアやパネルのように大形で扁平な資材等を輸送・保管する際に、そのエッジやコーナーを保護するための段ボール製緩衝部材に関する。
【０００２】
【従来の技術】
従来、ドアやパネルのように大形で扁平な資材等を輸送する際には、それら資材の辺部や角部を保護するために、また、輸送経路の建物等を保護するために、その辺部や角部にエッジガードやコーナーガードと呼ばれる緩衝部材を取り付けている。従来、このようなエッジガードやコーナーガードには、発泡スチロール製や段ボール製のものが用いられている。発泡スチロール製のエッジガードやコーナーガードは、保護対象資材のエッジやコーナーの形状に応じて予め成形したものが使用されている。また、従来の段ボール製のエッジガードやコーナーガードは、数枚の段ボールを積層し、接着剤で固定したものを緩衝材として用いている（例えば、特許文献１参照）。
【特許文献１】特開平９−１６５０７２号公報
【０００３】
一方、比較的小型又は軽量の資材については、組み立て式の段ボール製緩衝材が使われている（例えば、特許文献２参照）。
【特許文献２】特開平５−５１０６８号公報（〔００１０〕、〔００１１〕、第５図）
【０００４】
【発明が解決しようとする課題】
発泡スチロール製のエッジガードやコーナーガードは、緩衝性能は優れてはいるものの、使用後に資源として再利用することができず、燃やすと多量の黒煙や異臭を発するなど、廃棄処分の点で問題がある。
【０００５】
上記従来の積層型段ボール製エッジガード・コーナーガードは、原材料である段ボールを多量に使用するため、製造コストの面で不利である。また、積層段ボールが接着剤により固定されているため、発泡スチロール製のものと同様、折り畳むことができない。このため、これらエッジガードやコーナーガード自体が嵩張り、それらを輸送・保管する際の容積効率が悪く、流通コストがかかるという問題点もあった。
【０００６】
一方、上記特許文献２に記載の組み立て式の段ボール製緩衝部材は、ドアやパネルのような大形の資材等を保護するほどの緩衝能力を持たない。
【０００７】
本発明はこのような課題を解決するために成されたものであり、その目的とするところは、組み立て式でありながら大型の重量資材に使用しても十分な緩衝能力を持つ段ボール製の折畳式緩衝部材（エッジガード及びコーナーガード）を提供することにある。
【０００８】
【課題を解決するための手段】
上記課題を解決するために成された本発明に係るエッジ保護用折畳式段ボール製緩衝部材は、段ボールを折り曲げ、組み立てることにより形成された緩衝部材であって、
開放側において平板状の被保護材のエッジを把持する、断面が略コの字形の柱状の本体と、
上記本体の閉塞側に設けられる断面四角形の柱状の緩衝部と、
上記緩衝部の断面四角形において、長手方向に交互にその対角線上に設けられた梁部と、
を有することを特徴とする。
【０００９】
また、本発明に係るコーナー保護用折畳式段ボール製緩衝部材は、前記エッジ保護用折畳式段ボール製緩衝部材の２ユニットが屈曲部を介して接続されていることを特徴とする。
【００１０】
【発明の実施の形態】
本願発明に係るエッジ保護用折畳式段ボール製緩衝部材は、柱状となっている。その断面コの字形の開放側を平板状の被保護材のエッジに、緩衝部がエッジに当たるまで差し込む。これにより、本発明の緩衝部材は被保護材のエッジを把持し、緩衝部がエッジを保護する。緩衝部の両対角線上には交互に梁部が設けられているため、緩衝部の衝撃緩和能力が高い。従って、外部から物がぶつかっても（或いは、被保護材が何かにぶつかっても）、緩衝部がその衝撃を十分に緩和し、エッジ（及び外部の物）を保護する。
【００１１】
【実施例】
本発明の一実施例であるエッジガードの展開図を図１に示す。１０は原材料である段ボール内部の波シートの波畝線の向きを示している。輪郭線以外の実線で示した部分１３、１８には切り線を設け、実線で囲まれた部分（タブ差込穴）２２は打ち抜く。荒い破線は、この面から見た場合の山折り線を示し、細かい破線は谷折り線を示している。
【００１２】
以下に、本実施例のエッジガードの組み立て方法を説明する。まず、切り線１８及び折り線１９で１８０゜折り曲げ、内側面１７、エッジ当接面１５及び梁部１１を内側に折り返す。切り線１８により、１８０゜折り曲げた後は２枚の段ボールは切り線１８・折り線１９の直近においても密着できるようになっている。反対側（図１では下側）においても同様に折り返す。これにより、図２に示すような略長方形の折り畳み体が形成される。この状態をノックダウン状態と呼ぶ。図２において、斜線で示した部分は段ボールが１重になっている部分を示し、その他の部分は段ボールが２重に重なった状態となっている。エッジガード自体を運搬又は保管する場合、このノックダウン状態とすることにより容積効率が大幅に向上する。
【００１３】
切り線１８及び折り線１９で１８０°折り曲げた後に、外側面２０と内側面１７を接着してもよい。接着することにより、ノックダウン状態が安定して維持され、保管・輸送を容易となる。また、ばらつかないため、後述の組み立てが容易となる。
【００１４】
図２に示す通り、本実施例のエッジガードでは、両側のエッジ当接面１５及び梁部１１が交互に隙間なく並んでいる。
【００１５】
次に、図２のノックダウン状態からエッジガードを組み立てる方法を説明する。まず、図２の上側の左の部分において、折り線１６で谷折りし、エッジ当接面１５を約９０゜持ち上げる。更に、切り線１３と折り線１４で山折りし、梁部１１を鋭角に折り曲げる。ここでも、切り線１３により鋭角への折り曲げが容易となっている。この際、梁部１１の先端のタブ１２をタブ差込穴２２に差し込む。上側の中央の部分においても同様に折り曲げる。そして、折り線２１（図１）で谷折りする。反対側（図２の下側の部分）についても同様に折り曲げる。これにより、略コの字形の本体が形成され、その断面は図３に示すようになる。略コの字形の本体の開放側では略並行の２枚の側面２０、１７が形成されている。これら側面２０、１７とエッジ当接面１５は、被保護材のエッジを把持する把持部３１を構成する。また、略コの字形の本体の閉塞側では四角形の緩衝部３２が形成され、その両対角線に梁部１１が存在する。
【００１６】
図３に示した通り、エッジ当接面１５と梁部１１との間の折り曲げ部１４は、折り返された内側面１７の端部１７ａの下に填め込まれている。すなわち、梁部１１がこの折り曲げ部１４を内側面１７の端部１７ａの方に押し付けている。このため、折り線２１における復元力（スプリングバック）により、本体全体が開こうとしても、折り曲げ部１４が端部１７ａにより押さえられ、開くことができない。また、前述の通り、隣接するエッジ当接面１５同士が隙間なく並んでいるため、図３の状態において、エッジ当接面１５と隣接するエッジ当接面１５とは、境界線において摩擦により相互に動きにくくなっている。これらにより、このようにして組み立てた後のエッジガード本体は、その形状が確実に保持される。
【００１７】
エッジ当接面１５の幅は、装着する被保護材の厚みに応じて定める。背面２３の幅は、エッジ当接面１５よりも段ボールの厚さ２枚分広ければ、折り線２１における折り角度は直角に、両外側面２０及び両内側面１７は平行となるが、背面２３の幅は実際にはそれよりも少し広くすることが望ましい。そうすることにより折り線２１における折り角度がやや鋭角となり、把持部３１が被保護材等のエッジを確実に挟み込んで、エッジガードが被保護材のエッジから容易に外れないようにすることができる。
【００１８】
本実施例のエッジガードは、被保護材の形状に合わせて、部分的にエッジ当接面１５及び梁部１１の長さを変えてもよい。また、ドアの錠の部分のように、エッジに突出したものがある箇所は、エッジ当接面１５及び梁部１１を設けないか、間隔を開けることがある。この場合、エッジ当接面１５間の境界における摩擦により相互に動きにくいという上述した作用はないが、折り曲げ部１４が端部１７ａにより押さえられ、開くことができないという作用はあるため、そのような場合でも、組み立てた後のエッジガード本体は、その形状が確実に保持される。
【００１９】
このように組み立てられた本実施例のエッジガードは、開放部をドアやパネル等の被保護材のエッジに差し込んで使用する。前記の通り、把持部３１が被保護材のエッジを確実に把持し、エッジガードが容易にエッジから外れないようにしている。そして、緩衝部３２が外部からの衝撃を吸収する。緩衝部３２の断面四角形は、その２本の対角線において梁部１１により交互に支持されている。梁部１１が支持している角に対する衝撃力は梁部１１により分散され、梁部１１が支持していない角に対する衝撃は、その角が凹むことにより吸収される。このため、本実施例に係るエッジガードの緩衝部３２は、強度とエネルギー吸収性の双方を兼ね備えた理想的な緩衝性能を持つ。
【００２０】
つぎに、本願発明の別の実施例であるコーナーガードの展開図を図４に示す。本実施例のコーナーガードは、基本的には、２ユニットの上記エッジガードを接続し、９０゜曲げて固定できるようにしたものである。
【００２１】
図４の展開状態からノックダウン状態にする方法、及びノックダウン状態からエッジガードを組み立てる方法は、上記エッジガードと略同様である。本実施例のコーナーガードではその後、コーナー折り線２４で両側を９０゜折り曲げ、凹部２６ａと凸部２６ｂを嵌合することにより、両エッジガード部を略直角に固定する。
【００２２】
本実施例のコーナーガードを組み立てた状態を図５に示す。図５に示すように、本実施例のコーナーガードは前記エッジガードと同様、エッジ当接面１５及び内側面１７からなる略コの字状の把持部３１により被保護材等を把持し、背面２３、エッジ当接面１５及び外側面２０から成る緩衝部３２が外側からの衝撃を吸収する。梁部１１が緩衝部３２の断面四角形の２本の対角線を交互に支持している点も同様である。
【００２３】
また、図４及び図５に示す実施例では、両エッジガードは９０゜で固定するとしたが、これは、被保護材のコーナーの形状に合わせ、鋭角又は鈍角で固定するようにしてもよい。また、固定することなく、任意の角度のコーナーに装着できるようにしてもよい。
【００２４】
上記実施例のエッジガード及びコーナーガードを、ドア等の平板状の被保護材に取り付けた状態を図６に示す。これらは隙間なく取り付けてもよいし、適当な隙間を空けて取り付けてもよい。
【００２５】
【発明の効果】
本願発明に係るエッジ／コーナー保護用折畳式段ボール製緩衝部材は、１枚の段ボールから製作することができ、組み立ても容易である。使用時に直ちに組み立てることができるため、略長方形の折り畳み体（ノックダウン状態）で輸送・保管することができる。このため、輸送時・保管時のスペース効率が良く、流通コストを抑えることができる。
【００２６】
エッジガード／コーナーガードとして組み立てた後、使用する際には、緩衝部の断面四角形の両対角線を梁部が支持している。このため、外部からの衝撃に対して、梁部の無い角では適度にエネルギーを吸収して被保護材を保護するとともに、梁部の存在する角では被保護材に衝撃が及ぶことを阻止する。
【００２７】
そして、本願発明に係るエッジガード／コーナーガードは段ボールを素材とするため、使用後は再利用可能な古紙として処分することができる。
【図面の簡単な説明】
【図１】本願発明の一実施例であるエッジガードの展開図。
【図２】実施例のエッジガードの折り畳み体（ノックダウン状態）を示す平面図。
【図３】実施例のエッジガードの組み立て後の断面図。
【図４】本願発明の一実施例であるコーナーガードの展開図。
【図５】実施例のコーナーガードの組み立て後の斜視図。
【図６】実施例のエッジガード及びコーナーガードを被保護材に装着した状態を示す斜視図。
【符号の説明】
１１…梁部
１２…タブ
１３、１８…切り線
１４、１６、１９、２１…折り線
１５…エッジ当接面
１７…内側面
２０…外側面
２２…タブ差込穴
２３…背面
３１…把持部
３２…緩衝部
【図１】
2004106872.tif 000003
【図２】
2004106872.tif 000004
【図３】
2004106872.tif 000005
【図４】
2004106872.tif 000006
【図５】
2004106872.tif 000007
【図６】
2004106872.tif 000008